(57)【要約】【課題】効率良くセキュリティを向上させる。【解決手段】第１のネットワークを介して接続された１又は複数の他の画像共有装置に参加許可を与え、該参加許可を与えた画像共有装置を管理する第１の管理手段と、前記第１のネットワークとは異なる第２のネットワークを介して接続された１又は複数の情報端末からの参加要求を受け付けた場合に、前記情報端末に参加許可を与え、該参加許可を与えた情報端末を管理する第２の管理手段と、前記第１の管理手段により管理された他の画像共有装置、及び前記第２の管理手段により管理された情報端末に対して画像データを転送する転送手段とを有することにより上記課題を解決する。【選択図】図３
2016177502.tif 000002
【特許請求の範囲】
【請求項１】
第１のネットワークを介して接続された１又は複数の他の画像共有装置に参加許可を与え、該参加許可を与えた画像共有装置を管理する第１の管理手段と、
前記第１のネットワークとは異なる第２のネットワークを介して接続された１又は複数の情報端末からの参加要求を受け付けた場合に、前記情報端末に参加許可を与え、該参加許可を与えた情報端末を管理する第２の管理手段と、
前記第１の管理手段により管理された他の画像共有装置、及び前記第２の管理手段により管理された情報端末に対して画像データを転送する転送手段とを有することを特徴とする画像共有装置。
【請求項２】
前記第２の管理手段は、
前記他の画像共有装置が、前記第１のネットワーク及び前記第２のネットワークとは異なる第３のネットワークを介して接続された１又は複数の情報端末からの参加要求に対して参加許可を与えた場合に、該参加許可を与えた情報端末に関する情報を取得することを特徴とする請求項１に記載の画像共有装置。
【請求項３】
前記転送手段は、
前記他の画像共有装置を介して前記情報端末から画像データの共有要求を受け付けた場合に、前記共有要求を受け付けた画像データを前記第２のネットワークにおける前記参加許可を与えた情報端末に転送することを特徴とする請求項２に記載の画像共有装置。
【請求項４】
前記参加許可を与えた情報端末又は前記他の画像共有装置を介して取得した１又は複数の画像データを切り替え可能に表示する画面生成手段を有することを特徴とする請求項１乃至３のいずれか一項に記載の画像共有装置。
【請求項５】
第１のネットワークを介して接続された複数の画像共有装置を有する画像共有システムであって、
前記複数の画像共有装置のうちユーザから共有開始指示を受け付けた画像共有装置は、
前記複数の画像共有装置のうち他の画像共有装置に参加許可を与え、該参加許可を与えた画像共有装置を管理する第１の管理手段と、
前記第１のネットワークとは異なる第２のネットワークを介して接続された１又は複数の情報端末から参加要求を受け付けた場合に、前記情報端末に参加許可を与え、該参加許可を与えた情報端末を管理する第２の管理手段と、
前記第１の管理手段により管理された他の画像共有装置、及び前記第２の管理手段により管理された情報端末に対して画像データを転送する転送手段とを有することを特徴とする画像共有システム。
【請求項６】
第１のネットワークを介して接続された複数の画像共有装置を有する画像共有システムで実行されるグラフィカルユーザインターフェースにおいて、
前記複数の画像共有装置のうち参加許可を与えた画像共有装置、又は前記画像共有装置が管理する情報端末により共有している画像データ、前記画像共有装置に関する情報、及び前記情報端末に関する情報のうち少なくとも１つを表示する画面を生成する画面生成手段を有し、
前記画面生成手段は、
前記画面に表示された前記情報端末に関する情報のうち選択された情報端末により取得した画像データを前記共有している画像データと切り替えることを特徴とするグラフィカルユーザインターフェース。
【請求項７】
コンピュータを、
請求項１乃至４のいずれか１項に記載の画像共有装置が有する各手段として機能させるための画像共有プログラム。
【発明の詳細な説明】
【技術分野】
【０００１】
本願は、画像共有装置、画像共有システム、グラフィカルユーザインターフェース、及び画像共有プログラムに関する。
【背景技術】
【０００２】
例えば、ネットワークを介して複数のパーソナルコンピュータを接続し、ネットワーク上に構成されたグループのメンバーでデータを共有するシステムがある。
【０００３】
このようなシステムにおいて、会議メンバーが一覧として表示され、会議オーナーが招集すべき会議メンバーを選択する方法が知られている（例えば、特許文献１参照）。
【発明の概要】
【発明が解決しようとする課題】
【０００４】
しかしながら、上述した特許文献１の手法では、会議オーナーが会議のメンバー（参加者）を把握した上で選択しなければならず、会議の開催に時間がかかってしまい利便性が良くない。一方で、例えば機密情報を含む会議の場合には、会議の参加者を制限しないと、セキュリティ上の面から安全ではない。
【０００５】
１つの側面では、本発明は、効率良くセキュリティを向上させることを目的とする。
【課題を解決するための手段】
【０００６】
一態様の画像共有装置において、第１のネットワークを介して接続された１又は複数の他の画像共有装置に参加許可を与え、該参加許可を与えた画像共有装置を管理する第１の管理手段と、前記第１のネットワークとは異なる第２のネットワークを介して接続された１又は複数の情報端末からの参加要求を受け付けた場合に、前記情報端末に参加許可を与え、該参加許可を与えた情報端末を管理する第２の管理手段と、前記第１の管理手段により管理された他の画像共有装置、及び前記第２の管理手段により管理された情報端末に対して画像データを転送する転送手段とを有する。
【発明の効果】
【０００７】
効率良くセキュリティを向上させることが可能となる。
【図面の簡単な説明】
【０００８】
【図１】本実施形態における画像共有システムの概略構成の一例を示す図である。
【図２】コンピュータシステムのハードウェア構成の一例を示す図である。
【図３】本実施形態における画像共有装置の機能構成の一例を示す図である。
【図４】本実施形態における画像共有処理の一例を示すシーケンスである。
【図５】本実施形態における画像共有装置リストの一例を示す図である。
【図６】本実施形態における参加者リストの一例を示す図である。
【図７】会議オーナーとして使用される画像共有装置の画面の一例を示す図である。
【図８】会議に参加している他の画像共有装置の画面の一例を示す図である。
【図９】他の画像共有装置からの画像共有処理の一例を示すシーケンスである。
【図１０】画像共有画面の切り替えの一例を示す図である。
【発明を実施するための形態】
【０００９】
以下、実施の形態について詳細に説明する。
【００１０】
＜画像共有システム：概略構成＞
図１は、本実施形態における画像共有システムの概略構成の一例を示す図である。図１に示す画像共有システム１は、例えば画像共有装置１０−１〜１０−３（適宜、「画像共有装置１０」と称する）と、情報端末２０−１〜２０−６（適宜、「情報端末２０」と称する）とを有する。図１の例では、画像共有システム１は、例えば会議に用いる画像を共有することで遠隔地との会議を実現する。
【００１１】
図１の例において、画像共有装置１０−１〜１０−３は、例えばインターネットやＬＡＮ（Ｌｏｃａｌ  Ａｒｅａ  Ｎｅｔｗｏｒｋ）等のネットワークＮ１（第１のネットワークの一例）を介して接続され、それぞれ共有する画像を送受信する。画像共有装置１０−１と情報端末２０−１〜２０−２は、無線ネットワークＮ２（第２のネットワークの一例）を介して接続され、画像共有装置１０−１を介して共有する画像が送受信される。画像共有装置１０−２と情報端末２０−３〜２０−４は、無線ネットワークＮ３（第３のネットワークの一例）を介して接続され、画像共有装置１０−２を介して共有する画像が送受信される。画像共有装置１０−３と情報端末２０−５〜２０−６は、無線ネットワークＮ４（第３のネットワークの一例）を介して接続され、画像共有装置１０−３を介して共有する画像が送受信される。
【００１２】
画像共有装置１０は、ユーザにより会議開始が指定されると、会議オーナーとして使用され、他の画像共有装置１０に対して画像共有の開始を指示する。なお、会議開始の指定は、例えばユーザが直接、画像共有装置１０を操作して行うがこれに限定されるものではない。会議オーナーとして使用される画像共有装置１０は、他の画像共有装置１０に対して会議に参加するための参加許可を与える。また、会議の参加許可が与えられた他の画像共有装置１０には、情報端末２０に会議の参加許可を与える権限が委譲される。
【００１３】
図１の例では、例えばユーザから会議開始を指定された画像共有装置１０−１は、会議オーナーとして使用され、画像共有装置１０−２及び画像共有装置１０−３には、情報端末２０に対して会議の参加許可を与えるための権限が委譲されるものとする。
【００１４】
画像共有装置１０は、例えばＰＣやサーバ等であるがこれに限定されるものではなく、例えばインタラクティブ・ホワイトボード（ＩＷＢ）、電子黒板、プロジェクタ等でも良い。
【００１５】
情報端末２０は、例えばＰＣ等であり、会議の参加者により操作される。なお、情報端末２０は、例えばスマートフォンやタブレット端末等の携帯端末であっても良い。情報端末２０は、画像共有装置１０への無線の電波が届く範囲で会議への参加が可能となる。
【００１６】
図１の例では、画像共有装置１０−１は、無線ネットワークＮ２を介して会議の参加要求を受け付けた情報端末２０−１〜２０−２に対して会議の参加許可を与える。画像共有装置１０−２は、無線ネットワークＮ３を介して会議の参加要求を受け付けた情報端末２０−３〜２０−４に対して会議の参加許可を与える。画像共有装置１０−３は、無線ネットワークＮ４を介して会議の参加要求を受け付けた情報端末２０−５〜２０−６に対して会議の参加許可を与える。
【００１７】
上述した画像共有装置１０は、例えば無線の電波が届く範囲で情報端末２０からの参加要求を受け付けるため、同じ会議室に存在する情報端末２０が参加可能となる。同様に、権限が委譲された他の画像共有装置１０も、視認が可能な範囲の情報端末２０に対して参加許可を与えるため、会議の参加者を安全に管理することが可能となる。
【００１８】
＜ハードウェア構成＞
上述した画像共有装置１０や情報端末２０等は、例えば図２に示すハードウェア構成のコンピュータシステムにより実現される。図２は、コンピュータシステムのハードウェア構成の一例を示す図である。
【００１９】
図２に示すコンピュータシステム２は、入力装置３１と、表示装置３２と、ＲＡＭ（Ｒａｎｄｏｍ  Ａｃｃｅｓｓ  Ｍｅｍｏｒｙ）３３と、ＲＯＭ（Ｒｅａｄ  Ｏｎｌｙ  Ｍｅｍｏｒｙ）３４と、ＨＤＤ（Ｈａｒｄ  Ｄｉｓｋ  Ｄｒｉｖｅ）３５と、ＣＰＵ（Ｃｅｎｔｒａｌ  Ｐｒｏｃｅｓｓｉｎｇ  Ｕｎｉｔ）３６と、通信Ｉ／Ｆ３７と、外部Ｉ／Ｆ３８とを有し、それぞれがバスＢで相互に接続されている。
【００２０】
入力装置３１は、キーボードやマウス、タッチパネル等を含み、ユーザが各操作信号を入力するのに用いられる。表示装置３２は、ディスプレイ等を含み、コンピュータシステム２による処理結果を表示する。表示装置３２は、インタラクティブ・ホワイトボード、電子黒板、プロジェクタ、大型スクリーン等でも良い。
【００２１】
ＲＡＭ３３は、プログラムやデータを一時保持する揮発性の半導体メモリ（記憶装置）である。ＲＯＭ３４は、電源を切ってもプログラムやデータを保持可能な不揮発性の半導体メモリ（記憶装置）である。ＲＯＭ３４には、コンピュータシステム２の起動時に実行されるＢＩＯＳ（Ｂａｓｉｃ  Ｉｎｐｕｔ／Ｏｕｔｐｕｔ  Ｓｙｓｔｅｍ）、ＯＳ（Ｏｐｅｒａｔｉｏｎ  Ｓｙｓｔｅｍ）設定、及びネットワーク設定等のプログラムやデータを格納する。
【００２２】
ＨＤＤ３５は、プログラムやデータを格納している不揮発性の記憶装置である。格納されるプログラムやデータには、例えばコンピュータシステム２全体を制御する基本ソフトウェアであるＯＳや、ＯＳ上において各種機能を提供するアプリケーションソフトウェア等がある。
【００２３】
ＨＤＤ３５は、格納しているプログラムやデータを所定のファイルシステム及び／又はＤＢ（データベース）により管理する。なお、コンピュータシステム２は、ＨＤＤ３５の代わりにＳＳＤ（Ｓｏｌｉｄ  Ｓｔａｔｅ  Ｄｒｉｖｅ）が設けられても良い。
【００２４】
ＣＰＵ３６は、ＲＯＭ３４やＨＤＤ３５等の記憶装置からプログラムやデータをＲＡＭ３３上に読み出し、処理を実行することで、コンピュータシステム２全体の制御や機能を実現する演算装置である。
【００２５】
通信Ｉ／Ｆ３７は、コンピュータシステム２をネットワークＮに接続するインターフェースである。これにより、コンピュータシステム２は、通信Ｉ／Ｆ３７を介してデータ通信を行う。
【００２６】
外部Ｉ／Ｆ３８は、外部装置とのインターフェースである。外部装置には、記録媒体３８Ａ等がある。これにより、コンピュータシステム２は、外部Ｉ／Ｆ３８を介して記録媒体３８Ａの読み取り及び／又は書き込みを行うことが可能である。
【００２７】
記録媒体３８Ａには、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  ｍｅｍｏｒｙ  ｃａｒｄ）、ＵＳＢメモリ（Ｕｎｉｖｅｒｓａｌ  Ｓｅｒｉａｌ  Ｂｕｓ  ｍｅｍｏｒｙ）等がある。
【００２８】
画像共有装置１０や情報端末２０等は、コンピュータシステム２のハードウェア構成により、後述する各種処理を実現することが可能となる。
【００２９】
＜画像共有装置１０の機能構成＞
図３は、本実施形態における画像共有装置の機能構成の一例を示す図である。図３に示すように、画像共有装置１０は、共有装置管理部（第１の管理手段）１１と、端末管理部（第２の管理手段）１２と、データ管理部１３と、端末情報取得部１４と、画面生成部（画面生成手段）１５と、通信部（転送手段）１６と、記憶部１７と、表示部１８とを有する。
【００３０】
共有装置管理部１１は、例えば会議オーナーとして使用される場合には、起動後すぐ又は定期的にネットワークＮ１のネットワーク検索等により生成された画像共有装置１０の一覧情報（画像共有装置リスト）を管理する。また、共有装置管理部１１は、画像共有装置リストのうち、画像共有参加（会議参加）を許可した他の画像共有装置１０を管理する。
【００３１】
なお、画像共有装置１０は、例えば会議オーナーとして使用せずに、会議の参加者として使用する場合には、共有装置管理部１１の構成を有していなくても良い。
【００３２】
端末管理部１２は、画像共有参加（会議参加）の要求を受け付けた情報端末２０の一覧情報（参加者リスト）を管理する。また、端末管理部１２は、参加者リストのうち画像共有参加を許可した情報端末２０を管理する。また、端末管理部１２は、端末情報取得部１４により他の画像共有装置１０を介して画像共有参加を許可した情報端末２０に関する情報を取得する。端末管理部１２は、この画像共有参加を許可した情報端末２０を参加者リストに追加して更新する。
【００３３】
会議オーナーとして使用される画像共有装置１０は、上述した共有装置管理部１１及び端末管理部１２により、自己も含めてどの画像共有装置１０からどの参加者が会議に参加しているか等の情報を取得することが可能となる。
【００３４】
データ管理部１３は、他の画像共有装置１０や情報端末２０から画像共有の要求を受け付けた共有画像データを管理する。画像共有の要求は、例えば他の画像共有装置１０や情報端末２０を操作する参加者等が所定の情報（例えば、会議資料や参考資料）等のデータを共有したい場合に、会議オーナーとして使用される画像共有装置１０に送信される。
【００３５】
端末情報取得部１４は、他の画像共有装置１０から画像共有参加を許可した情報端末２０の情報を受け付ける。
【００３６】
画面生成部１５は、会議オーナーとして画像共有装置１０が使用される場合に表示部１８に表示する画面や、会議オーナー以外の他の画像共有装置１０として使用される場合に表示部１８に表示する画面、情報端末２０に表示する画面等のグラフィカルユーザインターフェースを生成する。なお、画面生成部１５が生成する各画面例は、これに限定されるものではなく、例えば画像共有システムの開始や終了画面、エラー発生時の画面等を生成しても良い。
【００３７】
また、画面生成部１５は、会議オーナーとして画像共有装置１０が使用される場合に、現在会議に参加中の画像共有装置１０や情報端末２０を介して取得した１又は複数のデータ（会議資料等）を切り替え可能に表示する画面を生成しても良い。画面生成部１５は、例えば、画面に表示された情報端末２０に関する情報（参加者情報）のうち選択された情報端末２０から取得したデータを表示させても良い。なお、画面生成部１５により生成されたグラフィカルユーザインターフェースは、通信部１６を介して他の画像共有装置１０や情報端末２０の画面に表示されても良い。
【００３８】
通信部１６は、他の画像共有装置１０や情報端末２０とデータの送受信を行う。
【００３９】
記憶部１７は、共有装置管理部１１が管理する画像共有装置リストや、端末管理部１２が管理する参加者リストや、データ管理部１３が管理する共有画像データ等を記憶する。なお、記憶部１７が記憶する情報としては、これに限定されるものではなく、例えばユーザ情報や実行ログ等であっても良い。
【００４０】
表示部１８は、画面生成部１５により生成された画面（グラフィカルユーザインターフェース）を出力する。また、表示部１８は、タッチパネル等でも良く、画面に表示された内容をタッチすることで、その情報が選択されたことを受け付け、対応する処理を実行することが可能である。
【００４１】
＜画像共有処理のフローチャート＞
図４は、本実施形態における画像共有処理の一例を示すシーケンスである。図４に示すシーケンスは、画像共有装置１０−１〜１０−２と、情報端末２０−１〜２０−４とにより実行される。
【００４２】
図４に示すように、画像共有装置１０−１は、例えばユーザから会議開始の指示を受け付けると（Ｓ１０）、会議オーナーとして使用される。会議オーナーとして使用される画像共有装置１０−１は、画像共有装置１０−２に対して画像共有開始を指示する（Ｓ１１）。
【００４３】
なお、会議オーナーとして使用される画像共有装置１０−１は、会議に参加する他の画像共有装置１０（例えば、画像共有装置１０−２）を事前に設定しても良く、会議開始時に画像共有装置リストから選択しても良い。画像共有装置リストは、起動後すぐ又は定期的にネットワークＮ１のネットワーク検索により接続中の画像共有装置１０の情報を用いて自動生成しても良く、予め登録しておいても良い。
【００４４】
他の画像共有装置１０（例えば、画像共有装置１０−２）を使用するユーザ（参加者）には、会議オーナーとして使用される画像共有装置１０−１から会議への参加許可が与えられるとともに、会議へ参加しようとする情報端末２０に参加許可を与える権限が委譲される。したがって、他の画像共有装置１０（例えば、画像共有装置１０−２）は、そのユーザが確認できる情報端末２０にのみ会議への参加許可を与えることが可能となる。
【００４５】
次に、会議オーナーとして使用される画像共有装置１０−１は、情報端末２０−２から会議参加（画像共有参加）要求を受け付けると（Ｓ１２）、画像共有参加を許可する（Ｓ１３）。これにより、情報端末２０−２は、画像共有装置１０−１との画像共有が可能となる。なお、Ｓ１３の処理では、画像共有参加を拒否することも可能である。この場合には、情報端末２０−２は、会議に参加することができなくなる。また、画像共有装置１０−２は、情報端末２０−３から画像共有参加要求を受け付けると（Ｓ１４）、画像共有参加を許可する（Ｓ１５）。
【００４６】
上述したＳ１２〜Ｓ１５の処理に示すように、会議オーナーとして使用される画像共有装置１０（例えば、画像共有装置１０−１）、及び権限を委譲された他の画像共有装置（例えば、画像共有装置１０−２）は、情報端末２０に対して会議の参加許可を与えることが可能である。
【００４７】
画像共有装置１０−２は、情報端末２０に対して画像共有参加を許可すると、会議オーナーとして使用される画像共有装置１０−１に対して参加者リストの更新を通知する（Ｓ１６）。なお、参加者リストの通知は、例えば情報端末２０のアカウント情報に基づいた利用者（ユーザ）名を通知しても良く、情報端末２０の識別情報を通知しても良い。また、画像共有装置１０−１は、情報端末２０−１から会議参加要求を受け付けると（Ｓ１７）、画像共有参加を許可する（Ｓ１８）。
【００４８】
次に、画像共有装置１０−１は、情報端末２０−２から画像共有の要求を受け付けると（Ｓ１９）、画像共有装置１０−２に対して画像共有の要求を受け付けた共有画像データ（共有画像）を転送する（Ｓ２０）。画像共有装置１０−２は、情報端末２０−３に共有画像データを転送する（Ｓ２１）。画像共有装置１０−１は、情報端末２０−１に共有画像データを転送する。このように、画像共有装置１０−１〜１０−２は、各装置で登録して管理している情報端末２０に対して共有画像データを転送する。
【００４９】
画像共有装置１０−２は、新たに情報端末２０−４から画像共有参加要求を受け付けると（Ｓ２３）、画像共有参加を許可し（Ｓ２４）、共有画像データを転送する（Ｓ２５）。また、画像共有装置１０−２は、会議オーナーとして使用される画像共有装置１０−１に参加者リストの更新を通知する（Ｓ２６）。
【００５０】
上述したように、会議オーナーとして使用される画像共有装置１０は、他の画像共有装置１０に対して会議の参加許可を与えるとともに、情報端末２０の参加要求に対する参加許可の権限を委譲する。これにより、画像共有装置１０それぞれが情報端末２０を確認して会議に参加させるため、会議オーナーとして使用される画像共有装置１０が、全ての情報端末２０の参加許可を判断する労力を分散し、安全でかつ効率良く会議を開催することが可能となる。
【００５１】
＜画像共有装置リスト＞
図５は、本実施形態における画像共有装置リストの一例を示す図である。図５（Ａ）に示す画像共有装置リストは、例えば会議開始のタイミングで会議オーナーとして使用される画像共有装置１０の画面生成部１５が生成し、表示部１８の画面に表示される。図５（Ａ）の例では、画像共有装置の一覧情報（画像共有装置リスト）として、「装置名」、「接続情報（ＩＰアドレス）」、「ステータス（利用状況）」等が表示されている。
【００５２】
図５（Ａ）に示す「ステータス」の項目で、既に会議で使われている画像共有装置について「参加中」と表示されている。ここで、画像共有装置１０に対応したステータス４０が選択されると、図５（Ｂ）に示す参加選択画面が表示され、図５（Ｂ）に示す参加選択画面上で画像共有装置１０を会議に参加させることが可能となる。
【００５３】
また、図５（Ａ）に示す画像共有装置１０を複数選択して、画像共有開始４１が選択されることで、選択された画像共有装置１０を一度に会議に参加させることが可能となる。
【００５４】
＜参加者リスト＞
図６は、本実施形態における参加者リストの一例を示す図である。図６（Ａ）に示す参加者リストは、例えば会議オーナーとして使用される画像共有装置１０、及び会議に参加する（画像を共有する）画像共有装置１０の画面生成部１５により生成し、表示部１８の画面に表示される。図６（Ａ）の例では、情報端末２０の一覧情報（参加者リスト）として、「装置名」、「接続情報（ＩＰアドレス）」、「ステータス（利用状況）」等が表示されている。
【００５５】
図６（Ａ）に示す情報端末２０に対応したステータス５０が選択されると、図６（Ｂ）に示す参加選択画面が表示され、図６（Ｂ）に示す参加選択画面上で情報端末２０を会議に参加させることが可能となる。
【００５６】
また、図６（Ａ）に示す更新５１が選択されると、図６（Ａ）に示す参加者リストの情報を最新状態に更新することが可能となる。
【００５７】
＜会議オーナーの画面例＞
次に、会議オーナーとして使用される画像共有装置１０の画面例について図を用いて説明する。図７は、会議オーナーとして使用される画像共有装置の画面の一例を示す図である。図７（Ａ）に示す画面６０は、画像共有を開始したタイミングで会議オーナーとして使用される画像共有装置１０の画面生成部１５により生成されて表示される。
【００５８】
図７（Ａ）に示す画面６０には、現在表示している画像共有装置１０の装置名や表示しているデータ（共有画像データ等）が表示されている。また、画面６０には、現在画像共有を行っている画像共有装置１０の一覧や、画像共有装置１０のそれぞれを利用して画像共有を行っている情報端末（参加許可を与えた情報端末）２０の参加者情報（情報端末に関する情報）等が表示されている。情報端末２０の参加者情報は、画像共有装置１０に対して情報端末２０が最初に通信した際に入手したアカウント（ログイン）情報等である。なお、画面に表示される内容やレイアウト等については、これに限定されるものではない。
【００５９】
図７（Ａ）に示す画像共有装置の追加６１が選択されることで、図７（Ｂ）に示す会議に参加可能な画像共有装置リスト（図５（Ａ））が表示される。また、図７（Ａ）に示す情報端末の追加６２が選択されることで、図７（Ｃ）に示す会議に参加可能な参加者リスト（図６（Ａ））が表示される。これらの画面が表示されることで、画像共有装置１０や情報端末２０を会議に参加させることが可能となる。
【００６０】
＜会議に参加している他の画像共有装置１０の画面例＞
図８は、会議に参加している他の画像共有装置の画面の一例を示す図である。図８（Ａ）に示す画面７０は、画像共有を開始したタイミングで会議オーナーとして使用される画像共有装置１０（例えば、画像共有装置１０−１）の画面生成部１５により生成されて、会議に参加している会議オーナー以外の他の画像共有装置１０（例えば、画像共有装置１０−２）に転送される。また、各画像共有装置１０は、それぞれを利用して画像共有を行っている情報端末２０に対して、図８（Ａ）に示す画面７０を転送することが可能である。
【００６１】
図８（Ａ）に示す画面７０と、上述した図７（Ａ）に示す画面６０とを比較すると、図７（Ａ）に示す画像共有装置の追加６１は、図７（Ａ）に示す画面６０にのみ表示されている。このように、画像共有装置の追加６１は、会議オーナーとして使用される画像共有装置１０の画面にのみ表示され、会議オーナー以外の画像共有装置１０の画面には表示されない。
【００６２】
これにより、本実施形態では、会議オーナーとして使用される画像共有装置１０のみが、会議に参加する他の画像共有装置１０を追加することが可能となり、適切なメンバー管理、資料情報の管理等を行うことが可能となる。
【００６３】
また、図８に示す情報端末の追加７１が選択されることで、図８（Ｂ）に示す会議に参加可能な参加者リスト（図６（Ａ））が表示される。これにより、情報端末２０の参加等を許可することが可能となる。
【００６４】
上述したように、会議に参加している画像共有装置１０や情報端末２０は、現在表示している画像共有装置１０の装置名や表示しているデータ等が表示された画面を共有する。
【００６５】
＜他の画像共有装置１０からの画像共有処理＞
図９は、他の画像共有装置からの画像共有処理の一例を示すシーケンスである。図９に示すシーケンスは、画像共有装置１０−１〜１０−２と、情報端末２０−１〜２０−４とにより実行される。なお、図９に示すＳ３０〜Ｓ４６の処理は、図４に示すＳ１０〜Ｓ２６の処理と同様の処理であるため、ここでの詳しい説明は省略する。
【００６６】
図９に示すように、会議に参加している他の画像共有装置１０−２は、会議に参加している情報端末２０−３から画像共有の要求を受け付けると（Ｓ４７）、会議オーナーとして使用される画像共有装置１０−１に対して画像共有の要求を行う（Ｓ４８）。
【００６７】
ここで、画像共有装置１０−１は、Ｓ４８の処理により受け付けた画像共有の要求に応じて、共有する画像を切り替える（画像共有装置１０−２に切り替え）と判断すると（Ｓ４９）、画像共有装置１０−２に対して共有画像データの転送を要求する（Ｓ５０）。
【００６８】
画像共有装置１０−２は、情報端末２０−３から受け付けた共有画像データを画像共有装置１０−１に転送する（Ｓ５１）。画像共有装置１０−１は、自身で登録して管理している情報端末２０−２に共有画像データを転送し（Ｓ５２）、情報端末２０−１に共有画像データを転送する（Ｓ５３）。また、画像共有装置１０−２は、自身に登録して管理している情報端末２０−４に共有画像データを転送する（Ｓ５４）。
【００６９】
なお、会議オーナーとして使用される画像共有装置１０−１は、画像共有装置１０−２の他にも、画像共有装置１０（例えば、画像共有装置１０−３等）が会議に参加している場合には、画像共有装置１０−２に対して画像共有装置１０−３に共有画像データを転送するように要求することが可能である。これにより、会議オーナーとして使用される画像共有装置１０−１の負担を軽減することが可能となる。
【００７０】
上述したように、他の画像共有装置１０が情報端末２０から画像共有の要求を受け付けた場合でも、自身に登録して管理している情報端末２０に対してはそれぞれ画像共有装置１０から共有画像データを転送させる。これにより、会議オーナーとして使用される画像共有装置１０の労力を分散し、効率良く会議を開催することが可能となる。
【００７１】
＜画像共有画面の切り替え＞
図１０は、画像共有画面の切り替えの一例を示す図である。図１０（Ａ）に示す会議オーナーの画面では、画像共有装置１０−１の会議参加者８０に示す情報端末２０から画像共有の要求を受け付けた共有画像データが表示されている。
【００７２】
ここで、会議オーナーとして使用される画像共有装置１０−１は、他の画像共有装置１０−２を介して受け付けた画像共有の要求に応じて、共有する画像を切り替えると判断すると、図１０（Ｂ）に示すように、他の画像共有装置１０−２の会議参加者８１（画像共有装置１０−２が管理している情報端末２０）を選択する。これにより、現在表示している画像共有装置１０の装置名や共有画像データ等が表示された画面を切り替えることが可能となる。
【００７３】
なお、会議オーナーとして使用される画像共有装置１０−１は、複数の画像共有装置１０から画像共有の要求を受け付けた場合に、要求された共有画像データを同時に表示させても良い。
【００７４】
上述した実施形態によれば、効率良くセキュリティを向上させることが可能となる。例えば、会議オーナーとして使用される画像共有装置は、会議に参加する他の画像共有装置に対して会議の参加許可を与えることで会議を開催することが可能となる。会議オーナーとなる画像共有装置を含めてそれぞれの画像共有装置の判断で、会議の参加者となる情報端末を指定することが可能となるため、会議の参加者を適切に管理することが可能となる。また、遠隔地との会議を開催することも可能となる。
【００７５】
本発明は、具体的に開示された上記の実施形態に限定されるものではなく、特許請求の範囲から逸脱することなく、種々の変形や変更が可能である。
【符号の説明】
【００７６】
１  画像共有システム
２  コンピュータシステム
１０  画像共有装置
１１  共有装置管理部（第１の管理手段の一例）
１２  端末管理部（第２の管理手段の一例）
１３  データ管理部
１４  端末情報取得部
１５  画面生成部（画面生成手段の一例）
１６  通信部（転送手段の一例）
１７  記憶部
１８  表示部
２０  情報端末
３１  入力装置
３２  表示装置
３３  ＲＡＭ
３４  ＲＯＭ
３５  ＨＤＤ
３６  ＣＰＵ
３７  通信Ｉ／Ｆ
３８  外部Ｉ／Ｆ
３８Ａ  記録媒体
【先行技術文献】
【特許文献】
【００７７】
【特許文献１】特開２００６−３０３７４２号公報
【図１】
2016177502.tif 000003
【図２】
2016177502.tif 000004
【図３】
2016177502.tif 000005
【図４】
2016177502.tif 000006
【図５】
2016177502.tif 000007
【図６】
2016177502.tif 000008
【図７】
2016177502.tif 000009
【図８】
2016177502.tif 000010
【図９】
2016177502.tif 000011
【図１０】
2016177502.tif 000012